(57)【要約】【課題】記録媒体を有する機器におけるシンクロ処理とコンテンツ収集処理を簡単にする。【解決手段】第１の記録媒体１０３を有する情報機器１０２であって、第２の記録媒体１０４を接続した際に、第２の記録媒体１０４内の記録内容を、設定した変更条件１１５、１１６及び１１７に基づいて変更する制御部１１１を有する。【選択図】　図１９
2004062388.tif 000002
【特許請求の範囲】
【請求項１】
第１の記録媒体を有する情報機器であって、
前記第２の記録媒体を接続した際に、前記第２の記録媒体内の記録内容を、設定した変更条件に基づいて変更する制御部を有することを特徴とする情報機器。
【請求項２】
前記制御部は、前記第１の記録媒体内に、前記第２の記録媒体内に記録された第１の情報と対応関係を有する第２の情報があるか否かを判断し、該判断の結果と前記変更条件とに基づいて、前記第２の記録媒体内の記録内容を変更することを特徴とする請求項１に記載の情報機器。
【請求項３】
前記変更条件は、前記第２の情報に対して、前記第１の情報が更新されている場合に、前記第２の情報を更新するシンクロ記録設定条件を含むことを特徴とする請求項１に記載の情報機器。
【請求項４】
前記変更条件は、前記第２の情報に関する有効期限が切れている場合に、前記第２の情報を自動的に削除するシンクロ削除設定条件であることを特徴とする請求項１に記載の情報機器。
【請求項５】
前記変更条件は、前記第１の記録媒体に記録されている情報と前記第２の記録媒体に記録されている情報とを比較し、前記第２の記録媒体に記録されていない情報が前記第１の記録媒体に記録されている場合に、該情報を前記第２の記録媒体中に記録するシンクロ追加記録設定条件であることを特徴とする請求項１に記載の情報機器。
【請求項６】
第１の記録媒体を有する電子機器であって、
前記第２の記録媒体を接続した際に、該第２の記録媒体内のコンテンツ内容を、該コンテンツに設定された変更条件に基づいて変更することを特徴とする電子機器。
【請求項７】
前記制御部は、前記第２の記録媒体内に、前記第１の記録媒体内に記録された第１のコンテンツと対応関係を有する第２のコンテンツがあるか否かを判断し、該判断の結果と前記変更条件とに基づいて、前記第２の記録媒体内のコンテンツ内容を変更することを特徴とする請求項６に記載の電子機器。
【請求項８】
前記変更条件は、前記第１の記録媒体と前記第２の記録媒体とに同一番組のコンテンツが記録されていた場合に、前記第１の記録媒体に記録された第１コンテンツの内容を上書き又は新規記録することを特徴とする請求項６に記載の電子機器。
【請求項９】
前記変更条件は、前記第２のコンテンツに関する有効期限が切れている場合に、前記第２のコンテンツを自動的に削除するシンクロ消去条件であることを特徴とする請求項６に記載の電子機器。
【請求項１０】
前記変更条件は、前記第２の記録媒体を接続した際、前記第１の記録媒体と前記第２の記録媒体とに同一番組のコンテンツが記録されていた場合に、前記第１の記録媒体に記録された最新のコンテンツの属性情報と前記第２の記録媒体に記録されたコンテンツの属性情報を比較し、前記第２の記録媒体に記録済みのコンテンツより新しい前記第１の記録媒体に記録済みのコンテンツの中で最新のコンテンツを前記第２の記録媒体に自動的に記録するシンクロ追加録画条件であることを特徴とする請求項６に記載の電子機器。
【請求項１１】
前記変更条件は、前記第２の記録媒体を接続した際、前記第１の記録媒体と前記第２の記録媒体とに同一番組のコンテンツが記録されていた場合に、前記第１の記録媒体に記録された最新のコンテンツの属性情報と前記第２の記録媒体に記録されたコンテンツの属性情報を比較し、前記第２の記録媒体に記録済みのコンテンツより新しい前記第１の記録媒体に記録済みのコンテンツの中で最新のコンテンツが存在する場合、前記第２の記録媒体から前記コンテンツを消去し、前記第１の記録媒体に記録済みの前記最新のコンテンツを前記第２の記録媒体に自動的に記録する更新録画条件とであることを特徴とする請求項６に記載の電子機器。
【請求項１２】
前記変更条件は、前記第２の記録媒体を接続した際、前記第１の記録媒体と前記第２の記録媒体とに同一番組のコンテンツが記録されていた場合であって、前前記コンテンツが、連続性を有するシリーズコンテンツである場合に、前記第１の記録媒体に記録された最新のコンテンツと前記第２の記録媒体に記録済みのコンテンツとを比較し、前記第２の記録媒体に記録済みの前記コンテンツの話数より新しい話数のコンテンツが前記第１の記録媒体に記録済みである場合、前記第２の記録媒体から未視聴の前記コンテンツを消去し、前記１の記録媒体に記録済みの前記コンテンツから前記第２の記録媒体に記録されていたものより新しい話数のコンテンツを前記第２の記録媒体に記録する条件である請求項６に記載の電子機器。
【請求項１３】
前記変更条件は、前記第２の記録媒体を接続した際、前記第１の記録媒体と前記第２の記録媒体とに同一番組のコンテンツが記録されていた場合であって、前記コンテンツがシリーズコンテンツである場合、前記第１の記録媒体に記録された最新のコンテンツの属性情報と前記第２の記録媒体に記録済みのコンテンツの属性情報を比較し、前記第１の記録媒体に、前記第２の記録媒体に記録されていない前記コンテンツが存在する場合、そのコンテンツを全て前記第２の記録媒体に自動的に記録する条件であることを特徴とする請求項６に記載の電子機器。
【請求項１４】
第１の記録媒体に記録されている第１の情報内容に基づいて第２の記録媒体に記録されている第２の情報内容を変更する機能を有する情報機器であって、
前記第１の記録媒体と前記第２の記録媒体とのそれぞれに記録されている第１及び第２の情報とともに、設定された変更内容に関する条件を加味して、前記第２の情報内容を変更することを特徴とする情報機器。
【発明の詳細な説明】
【０００１】
【発明の属する技術分野】
本発明は、複数の記憶媒体を備えた情報機器又は電子機器（以下、情報機器と略す。）に関し、特に、映像・音声・データ等のストリーム／コンテンツなどの大容量情報データを、それぞれの記録媒体により記録・再生できる機能を備えた情報機器に関する。
【０００２】
【従来の技術】
最近のデジタル技術の進歩により、デジタルテレビ放送（例えば、米国のＤＳＳ（Ｄｉｇｉｔａｌ　Ｓａｔｅｌｌｉｔｅ　Ｓｙｓｔｅｍ）、欧州のＤＶＢ（Ｄｉｇｉｔａｌ　Ｖｉｄｅｏ　Ｂｒｏａｄｃａｓｔｉｎｇ）等）が実用化されるようになってきている。ＤＳＳはデジタル情報信号を独自のパケットにより、ＤＶＢはＭＰＥＧ（Ｍｏｖｉｎｇ　Ｐｉｃｔｕｒｅ　Ｅｘｐｅｒｔｓ　Ｇｒｏｕｐ）２方式のトランスポートパケットにより、それぞれ複数のプログラム（番組）を時分割多重方式により放送する。
【０００３】
また、ＣＳ放送やＢＳ放送などのデジタル放送のストリームデータを記録する記録媒体としてＨＤＤ（ハードディスクドライブ）等の大容量の記録媒体を装備し、録画再生機能やタイムシフト機能などの便利な機能を有する情報機器が増えてきている。最近では、録画再生機能やタイムシフト機能などを有するパーソナルコンピュータ（ＰＣ）などの情報機器や、ＨＤＤを記録媒体として用いたいわゆるハードディスクビデオなどの家電機器も市場に出回りつつある。これらの状況を踏まえて、サーバー型放送などの、情報の蓄積を前提とした放送サービスも開始されつつある。
【０００４】
【発明が解決しようとする課題】
しかし、ＨＤＤ等の主記録媒体は、いくら大容量化が進んだとはいえ、その記憶容量には限界があり、また、大切なデータに関してはバックアップを取っておく必要もあるため、別の副（サブ）記録媒体に記録して保存する必要がある。
【０００５】
特開平１１−１２００５９号公報に記載のネットワークシステムでは、クライアントからファイルの更新状況について問い合わせ要求があると、サーバマシンはその要求に対して更新情報を転送する。クライアントは更新情報と、これと関連する自己のコンピュータ上の記録媒体のファイルとを比較し、必要に応じてファイルの更新を行うことにより、主記録媒体と副記録媒体とを含む複数の記録媒体に関してその内容を常に最新のものとすることができる。
【０００６】
前述のように、サーバー型放送は、受信側の機器がデータを蓄積することを前提とした放送サービスであり、主記録媒体に記録されているコンテンツの内容を最新の情報に更新していく方式がとられるが、受信側の機器に対して取り外し可能な副記録媒体中に蓄積されているコンテンツを保存した場合に、機器から副記録媒体を取り外すと機器による副記録媒体の制御は不可能になる。例えば、利用可能な期限が決められている有効期限付きのコンテンツデータを取り外し可能な副記録媒体内に蓄積しておいた場合に、その期限が経過した後であっても期限付きのデータは副記録媒体から消去されない。
【０００７】
また、ＨＤＤ等の主記録媒体の容量は大きくなったとはいえ、動画を含む映像情報を記録するとそのデータ容量が大きくなるため、全てを記録保存しておくことが難しい場合もある。そのため、主記録媒体中に新たにコンテンツを記録する場合には、既存のコンテンツを消去しなくてはならない場合も生じる。この際、全ての記録済みコンテンツ中から消去すべきコンテンツをユーザが指定し、記録保存するコンテンツについてもユーザが指定するという煩雑な作業を行う必要があった。
【０００８】
加えて、主記録媒体に記録済みのコンテンツから最新のコンテンツや同じシリーズ物のコンテンツを読み出して副記録媒体中に記録保存する場合や、主記録媒体のバックアップを取る場合には、記録済みコンテンツの記録日時や話数をユーザ自身が記憶している必要がある。上記特開平１１−１２００５９号公報に記載の方法では、コンテンツを最新のものにするために、記録媒体に対応するクライアントマシンが必要でありコストが大きくなる。
【０００９】
本発明は、主記録媒体を備え、副機構媒体にも接続できる機器において、副記憶媒体中の記録内容を簡単な操作によりユーザが制御できる技術を提供することを目的とする。
【００１０】
【課題を解決するための手段】
本発明の一観点によれば、第１の記録媒体を有する情報機器であって、前記第２の記録媒体を接続した際に、前記第２の記録媒体内の記録内容を、設定した変更条件に基づいて変更する制御部を有することを特徴とする情報機器が提供される。
【００１１】
上記情報機器においては、第１の記録媒体の記録内容に基づいて第２の記録媒体の記録内容を変更する際の変更条件を設定することができるので、変更の際の自由度が増す。
【００１２】
コンテンツを記録した場合にコンテンツに変更条件を付加すれば、コンテンツ収集の際の処理が簡単になる。上記各処理を自動化すれば、処理がさらに簡単になる。
【００１３】
【発明の実施の形態】
本明細書において、第１の記録媒体をＨＤＤ（ハードディスクドライブ）、第２の記録媒体をＲＨＤＤ（リムーバブルハードディスク）とした情報機器を例に説明するが、記憶媒体としては、ＤＡＴ等のテープデバイスやＣＤ−Ｒ／Ｗ・ＤＶＤ−Ｒ／Ｗ等の光ディスクデバイスであってもよい。
【００１４】
発明者は、第１の記録媒体（主記録媒体）と、第２の記録媒体（副記録媒体）を備えた情報機器（電子機器）であって、第２の記録媒体は情報機器に対して着脱自在に構成されている情報機器において、例えば第２の記録媒体を情報機器に対して接続した際に、第２の記録媒体中の記録内容を自動的に変更する制御を行うことを思いついた。変更内容に関しては、情報機器において設定することができる。第２の記録媒体中のコンテンツに変更内容に関する情報を付加しても良い。
【００１５】
ユーザ側が、記録内容の変更内容に関して種々の選択を行えるようにすることも可能であり、或いは、コンテンツの場合にはコンテンツ提供者側がコンテンツに付加して変更内容を指定することも可能であると考えた。
【００１６】
以下に、本発明の第１の実施の形態による情報機器について図面を参照して説明する。図１９は、本実施の形態による情報機器の構成例を示す概略図である。図１９に示すように、本発明の第１の実施の形態による情報機器１０２は、例えばパーソナルコンピュータＰＣであり、第１の記録媒体はハードディスクＨＤＤ１０３、第２の記録媒体はリムーバブルハードディスクＲＨＤＤ１０４である。情報機器１０２には、制御部１１１が設けられている。例えば、制御部１１１において種々の設定を行うことにより、第２の記録媒体１０４中の情報データの内容に関して種々の異なる処理を行うことができる。
【００１７】
制御部１１１に関する設定例として、図１９に示すように、シンクロ記録設定１１５と、シンクロ削除設定１１６と、シンクロ追加設定１１７と、が設けられている。さらに、情報機器１０２には、制御部１１１と関連付けされ日時情報を管理する日時情報管理部１１３が設けられている。
【００１８】
以下、本発明の第１の実施の形態による情報機器における第２の記録媒体中の情報データに関する種々の変更を行う技術に関して図面を参照して説明する。図１及び図２は、本発明の第１の実施の形態の第１実施例による制御技術を説明するための図である。
【００１９】
図１に示すように、パーソナルコンピュータ（ＰＣ）１０２は、例えばパーソナルコンピュータ１０２に内蔵されている第１の記録媒体（以下ＨＤＤと称する。）１０３と、パーソナルコンピュータ１０２に対して例えばＵＳＢ又はＩＥＥＥ１３９４などのインターフェイス１２３（図１９）により着脱自在に取り付けられる第２の記録媒体（以下ＲＨＤＤと称する。）１０４と、に対して記録・読み出しを行うことができる。
【００２０】
まず、シンクロ記録機能１１５が設定されている場合の動作について説明する。シンクロ記録機能１１５が設定されている場合において、ＲＨＤＤ１０４をパーソナルコンピュータ１０２に接続すると、例えば以下のような処理が行われる。
【００２１】
ＨＤＤ１０３とＲＨＤＤ１０４との両記録媒体中に同一ファイルが記録されている場合に、ＨＤＤ１０３に記録されたファイルの属性情報とＲＨＤＤ１０４に記録されたファイルの属性情報とを比較し、ＨＤＤ１０３中の第１のファイルが例えば前回ＲＨＤＤ１０４をパーソナルコンピュータ１０２に接続した時点よりも後に更新されている場合は、ＲＨＤＤ１０４中のファイルであって第１のファイルに対応するファイルの内容を何らかのイベントに応じて又は自動的に更新する。
【００２２】
図２に示すフローチャート図に沿ってシンクロ記録機能に基づく処理の流れを説明する。例えば、ＲＨＤＤ１０４中に、９月１４日の「ｆｉｌｅ０」ファイル、９月１４日の「ｆｉｌｅ１」ファイル、９月１日の「ｆｉｌｅ３」ファイルが保存されており、ＨＤＤ１０３中には９月１４日の「ｆｉｌｅ０」ファイル、９月３０日の「ｆｉｌｅ１」ファイル、　９月３０日の「ｆｉｌｅ２」ファイルが保存されている場合を想定する。
【００２３】
この状態において、ＲＨＤＤ１０４をＰＣ１０２に接続した場合（ステップ２０１）、ＰＣ１０２はＲＨＤＤ１０４にいかなる機能が設定されているかを調べ、シンクロ記録が指定されていることを確認する（ステップ２０２）。ＲＨＤＤ１０４がシンクロ記録指定されている場合、ＰＣ１０２はＨＤＤ１０３とＲＨＤＤ１０４の記録済みファイルの属性情報の比較を行う（ステップ２０３）。
【００２４】
ＨＤＤ１０３内とＲＨＤＤ１０４内とに同じファイルが記録済みである場合は、ＲＨＤＤ１０４内に記録済みのファイル属性情報の記録日時・ファイルサイズ等の比較の結果、ＨＤＤ１０３内に記録済みの対応するファイルの方が新しい場合は、ＨＤＤ１０３から最新のファイルを読み出し、ＲＨＤＤ１０４に上書き保存する（ステップ２０４）。
【００２５】
図１の場合、「ｆｉｌｅ０」に関しては、記録日、サイズ等のファイルの属性情報が同じである為、操作を行わない。ＲＨＤＤ１０４には９月１４日の「ｆｉｌｅ１」コンテンツが記録済みであり、ＨＤＤ１０３には９月３０日の「ｆｉｌｅ１」ファイルが記録済みであるので、ＨＤＤ１０３から９月３０日の「ｆｉｌｅ１」ファイルを読み出し、ＲＨＤＤ１０４へ上書き保存を行う。
【００２６】
次に、パーソナルコンピュータＰＣ３０２にシンクロ削除機能１１６が設定されている場合の動作について図３及び図４を参照して説明する。ＰＣ３０２は図１に記載のＰＣ１０２と同様に、ＨＤＤ３０３及びＲＨＤＤ３０４に対して記録・読み出しを行うことができるコンピュータである。また、ＰＣ３０２にシンクロ削除機能１１６（図１９）が設定されている場合の処理の流れを示すフローチャート図である。
【００２７】
例えば、ＲＨＤＤ３０４中に、期限が無い「ｆｉｌｅ０」ファイルと、期限が９月１４日である「ｆｉｌｅ１」ファイルと、期限が９月１日である「ｆｉｌｅ３」ファイルとが記録されているとする。ＲＨＤＤ３０４をＰＣ３０２に接続した場合（ステップ４０１）、ＰＣ３０２はＲＨＤＤ３０４に保存されているコンテンツの属性情報を読み込み、日時情報管理部１１３（図１９）の記憶する現在日時（日付）１０月２日と属性情報の期限とを比較し、期限が過ぎているファイルの消去を行う（ステップ４０２）。図３の場合、期限の無い「ｆｉｌｅ０」と、期限がまだ来ていない「ｆｉｌｅ３」とに関しては消去しない。期限が過ぎている「ｆｉｌｅ１」は消去する。これらの処理を例えば自動的に行うことにより、ＲＨＤＤ３０４をＰＣ３０２に接続した際に、期限切れのファイルがＲＨＤＤ３０４中から削除され、期限切れのファイルの使用を簡単な方法により防止することができる。
【００２８】
次に、ＰＣ５０２（制御部）にシンクロ追加機能１１７が設定されている場合の動作について図５及び図６を参照して説明する。図５に示すように、ＰＣ５０２は図１に記載のＰＣ１０２と同様に、ＨＤＤ５０３及びＲＨＤＤ５０４に対して記録・読み出しを行うことができるコンピュータである。また、図６はシンクロ追加機能１１７が設定されている場合の処理の流れを示すフローチャート図である。
【００２９】
例えば、ＲＨＤＤ５０４に９月１４日の「ｆｉｌｅ０」ファイルと、９月１４日の「ｆｉｌｅ１」ファイルと、９月１日の「ｆｉｌｅ３」ファイルとが保存されており、ＨＤＤ５０３には９月１４日の「ｆｉｌｅ０」ファイルと、９月３０日の「ｆｉｌｅ１」ファイルと、　９月３０日の「ｆｉｌｅ２」ファイルとが保存されている。ＲＨＤＤ５０４をＰＣ５０２に接続した際（ステップ６０１）に、ＰＣ１０２はＲＨＤＤ１０４にシンクロ追加記録が指定されていることを検知（確認）する（ステップ６０２）。
【００３０】
ＲＨＤＤ５０４がシンクロ追加記録指定されているため、ＰＣ５０２はＨＤＤ５０３とＲＨＤＤ５０４とに記録済みファイルの属性情報の比較を行う（ステップ６０３）。ＲＨＤＤ５０４に記録されていないファイルがＨＤＤ５０３に記録されている場合には、ＨＤＤ５０３からそのファイルを読み出し、ＲＨＤＤ５０４に記録保存する（ステップ６０５）。
【００３１】
例えば図５に示すように、「ｆｉｌｅ０」「ｆｉｌｅ１」に関しては、既にＲＨＤＤ５０４中にも記録済みであるため、何らの処理も行われない。ＨＤＤ５０３に記録されている９月３０日の「ｆｉｌｅ２」ファイルは、ＲＨＤＤ５０４中には存在しないので、このファイルを追加して記録保存する。ＲＨＤＤ５０４をＰＣ５０２に接続することにより、簡単に最新のファイルをＲＨＤＤ５０４中に追加して記録することができる。
【００３２】
尚、図１と図５とを比較すればわかるように、ＨＤＤとＲＨＤＤとの記録内容が同じであっても、ＲＨＤＤに対してシンクロ記録が設定されているかシンクロ追加記録が設定されているかにより、シンクロ処理後のＲＨＤＤの記録内容は異なる。以上、本実施の形態による情報機器においては、ＲＨＤＤをＰＣに接続することにより、予め設定された種々の機能が動作し、ＲＨＤＤ中の記録内容をユーザの望む内容に変更することができる。
【００３３】
尚、本実施の形態による情報機器において、予めユーザの希望する変更内容を設定し、その設定された内容に沿った変更のみが行われる例を説明したが、例えば、種々の変更設定（図１９の１１５、１１６及び１１７）の全てを選択し、第１の記録媒体と第２の記録媒体とのファイルの属性情報の比較結果に基づいて、第２の記録媒体中のファイル内容を自動的に変更するように構成しても良い。
【００３４】
次に、本発明の第２の実施の形態による情報機器について図面を参照して説明する。
図２０に示すように、本発明の第２の実施の形態による情報機器７０２は、例えばＳＴＢであり、第１の記録媒体はＨＤＤ７０３、第２の記録媒体はリムーバブルＨＤＤ７０４である。情報機器７０２には、制御部７１１が設けられており、この制御部７１１に関する設定により第２の記録媒体７０４中の情報データの内容に関して異なる変更が行われる。
【００３５】
制御部７１１に関する設定例としては、例えば、シンクロ録画設定７１５と、シンクロ消去設定７１７と、が設けられている。さらに、情報機器７０２には、制御部７１１と関連付けされ、日時情報を管理する日時情報管理部７１３が設けられている。尚、本実施の形態による情報機器は、ＢＳ／ＣＳデジタル放送受信機のＳＴＢを例として説明しているが、例えば受信機能と録画機能とを有する情報機器であれば、ＳＴＢに限定されるものではない。
【００３６】
まず、シンクロ録画設定７１５がなされている場合の動作について図７及び図８を参照して説明する。ＳＴＢ７０１は、ＢＳ／ＣＳアンテナ７０１から放送を受信することができ、ＨＤＤ７０３及びＲＨＤＤ７０４の両記録媒体に対してコンテンツの記録・再生を行うことができるデジタルＢＳ／ＣＳ放送の受信機である。
【００３７】
例えば、ＲＨＤＤ７０４中に９月１４日の「ｃｏｎｔｅｎｔｓ０」コンテンツと、９月１４日の「ｃｏｎｔｅｎｔｓ１」コンテンツと、９月１日の「ｃｏｎｔｅｎｔｓ３」コンテンツとが保存されており、ＨＤＤ７０３中に９月１４日の「ｃｏｎｔｅｎｔｓ０」コンテンツと、９月３０日の「ｃｏｎｔｅｎｔｓ１」コンテンツと、　９月３０日の「ｃｏｎｔｅｎｔｓ２」コンテンツとが保存されている場合であって、ＲＨＤＤ７０４をＳＴＢ７０２に接続した際（ステップ８０１）に、ＳＴＢ７０２は、シンクロ記録７１５が指定されているかを確認する（ステップ８０２）。
【００３８】
図７に示すように、シンクロ記録７１５が指定されている場合に、ＳＴＢ７０２は、ＨＤＤ７０３とＲＨＤＤ７０４との記録済みコンテンツの属性情報の比較を行う（ステップ８０３）。
【００３９】
ＨＤＤ７０３内とＲＨＤＤ７０４内に対応する同じコンテンツが記録済みである場合は、ＲＨＤＤ７０４に記録済みのコンテンツ属性情報の放送日時・話数の比較を行い、その結果、ＨＤＤ７０３に記録済みのコンテンツの方が新しい場合は、ＨＤＤ７０３から最新のコンテンツを読み出し、ＲＨＤＤ７０４に上書き保存する（ステップ８０４）。ＲＨＤＤ７０４に記録されていないコンテンツがＨＤＤ７０３に記録されている場合は、ＨＤＤ７０３からそのコンテンツを読み出し、ＲＨＤＤ７０４に記録保存する（ステップ８０５）。
【００４０】
図７に示す例においては、「ｃｏｎｔｅｎｔｓ０」に関しては、記録日（日時）が同じであるため処理は行われない。ＲＨＤＤ７０４には９月１４日の「ｃｏｎｔｅｎｔｓ１」コンテンツが記録済みであり、ＨＤＤ７０３には９月３０日の対応する「ｃｏｎｔｅｎｔｓ１」が記録済みであるので、ＨＤＤ７０３から９月３０日の「ｃｏｎｔｅｎｔｓ１」コンテンツを読み出し、ＲＨＤＤ７０４の対応するコンテンツに上書き保存を行う。また、ＨＤＤ７０３に９月３０日の「ｃｏｎｔｅｎｔｓ２」コンテンツは、対応するコンテンツがＲＨＤＤ７０４中に存在しないので記録保存する。
以上の処理により、ＲＨＤＤ７０４をＳＴＢ７０２に接続するだけで、ＲＨＤＤ７０４内のコンテンツ内容を、簡単に最新のコンテンツに更新するとともに、新しいファイルの追加を行うことができる。
【００４１】
図９は、シンクロ消去７１７が設定されている場合の処理例を示す図である。ＳＴＢ９０２は、図７のＳＴＢ７０２と同様に、ＢＳ／ＣＳアンテナ９０１から放送を受信することができ、かつ、ＨＤＤ９０３及びＲＨＤＤ９０４の両記録媒体に対して記録・再生を行うことができるデジタルＢＳ／ＣＳ放送の受信機である。また、図１０はシンクロ消去が行われる際の動作の流れを示すフローチャート図である。例えば、ＲＨＤＤ９０４中に、期限情報が付されていない「ｃｏｎｔｅｎｔｓ０」コンテンツと、期限情報として９月１４日の情報が付されている「ｃｏｎｔｅｎｔｓ１」コンテンツと、期限情報として９月１日の情報が付されている「ｃｏｎｔｅｎｔｓ３」コンテンツとが保存されているとする。
【００４２】
この状態において、ＲＨＤＤ９０４をＳＴＢ９０２に接続すると（ステップ１００１）、ＳＴＢ７０２はＲＨＤＤ９０４に保存されているコンテンツの属性情報を読み込み、ＳＴＢ９０２の日時情報管理部７１３に管理されている現在の日時（日付）１０月２日と属性情報の期限とを比較し、期限が過ぎているコンテンツの消去を行う（ステップ１００２）。
【００４３】
図９の場合、期限の無い「ｃｏｎｔｅｎｔｓ０」と、期限がまだ来ていない「ｃｏｎｔｅｎｔｓ３」とは消去せず、期限の過ぎている「ｃｏｎｔｅｎｔｓ１」のみを消去する。以上の処理により、ＲＨＤＤ９０４をＳＴＢ９０２に接続した際に、期限切れのコンテンツが再生可能になってしまうなどの問題も解消する。本発明の第２の実施の形態による情報機器によれば、ＳＴＢなどの放送事業者又はコンテンツ作成者により種々の設定を変更することも可能である。
【００４４】
以上、本実施の形態による情報機器によれば、ＨＤＤ内に記憶されたコンテンツ内容をＲＨＤＤ内に例えばＲＨＤＤの接続に応じて自動的にバックアップすることが可能になる。
【００４５】
以下、本発明の第３の実施の形態による情報機器（情報処理技術）について、図面を参照して説明する。本実施の形態による情報処理技術は、例えば、ＲＨＤＤ内に記憶されているコンテンツに変更条件を設定するか或いは付加する点に特徴を有している。図１１は、ＨＤＤ１１０３とＲＨＤＤ１１０４とに記録されているコンテンツの内容例を示す図であり、図１２はシンクロ追加記録７１５が設定されている場合の処理の流れを示すフローチャート図である。
【００４６】
例えば、ＲＨＤＤ１１０４に「今日のニュース」というコンテンツに対して、シンクロ追加記録指定が設定されており、ＲＨＤＤ１１０４に同コンテンツの９月２８日放送分が記録済みであり、ＨＤＤ１１０３には、同コンテンツの９月３０日放送分が記録済みあるときに、ＲＨＤＤ１１０４をＳＴＢ１１０２に接続した場合、ＳＴＢ１１０２はＲＨＤＤ１１０４からシンクロ追加記録が指定されているコンテンツが存在するかを確認する（ステップ６０１）。
【００４７】
図１１の場合、「今日のニュース」というコンテンツがシンクロ追加記録指定されているので、ＳＴＢ１１０２はＨＤＤ１１０３から同コンテンツが記録済みであるかの検索を行う（ステップ６０２）。
【００４８】
ＨＤＤ１１０３内に同コンテンツが記録済みである場合は、ＲＨＤＤ１１０４に記録済みのコンテンツと、例えば放送日時・話数等の比較を行い（ステップ６０３）、その結果、ＨＤＤ１１０３に記録済みのコンテンツの方が新しいと判断された場合には、ＨＤＤ１１０３から最新のコンテンツを読み出し、ＲＨＤＤ１１０４に記録保存する（ステップ６０４、６０５）。図１１の場合、ＲＨＤＤ１１０４「今日のニュース」の９月２８日放送分が記録済みであり、ＨＤＤ１１０３には９月３０日放送分が記録済みであるので、ＨＤＤ１１０３から最新の９月３０日放送分を読み出し、ＲＨＤＤ１１０４へ記録保存を行う。以上の処理により、ＲＨＤＤ１１０４をＳＴＢ装置１１０２に接続するだけで、容易に最新のコンテンツを追加することができる。
【００４９】
図１３は、ＨＤＤ１３０３とＲＨＤＤ１３０４とに記録されているコンテンツの内容例を示す図であり、図１４は更新記録が設定されている場合の処理の流れを示すフローチャート図である。ＳＴＢ１３０２は、図７のＳＴＢ７０２と同様の構成を有しており、ＢＳ／ＣＳアンテナ１３０１から放送を受信することができ、ＨＤＤ１３０３及びＲＨＤＤ１３０４の２つの記録媒体に対して記録・再生を行うことができるデジタルＢＳ／ＣＳ放送の受信機である。図１４は更新記録の処理の流れを示すフローチャート図であり、以下フローに沿って説明する。
【００５０】
例えば、図１１の場合と同様に、ＲＨＤＤ１３０４に「今日のニュース」というコンテンツに対してシンクロ記録指定が設定されており、ＲＨＤＤ１３０４に同コンテンツの９月２８日放送分が記録済みであり、ＨＤＤ１３０３には、同コンテンツの９月３０日放送分が記録済みあるときに、ＲＨＤＤ１３０４をＳＴＢ１３０２に接続した場合、ＳＴＢ１３０１はＲＨＤＤ１３０４から更新記録が指定されているコンテンツが存在するかを確認する（ステップ１４０１）。
【００５１】
図１３の場合、「今日のニュース」というコンテンツが更新記録指定されているため、ＳＴＢ１３０２はＨＤＤ１３０３から同コンテンツが記録済みであるかの検索を行い（ステップ１４０２）、ＨＤＤ１３０３内に同コンテンツが記録済みである場合は、ＲＨＤＤ１３０４に同コンテンツが記録済みであるかを検索する（ステップ１４０３）。
【００５２】
ＨＤＤ１３０３、ＲＨＤＤ１３０４の両方に記録されている場合は、それぞれに記録済みコンテンツの属性情報の放送日時・話数の比較を行い（ステップ１４０４）、その結果、ＨＤＤ１３０３に記録済みのコンテンツの方が新しい場合は（ステップ１４０５）、ＲＨＤＤ１３０４に記録済みのコンテンツを消去した後（ステップ１４０６）、ＨＤＤ１３０３から最新のコンテンツを読み出し、ＲＨＤＤ１３０４に記録保存する（ステップ１４０７）。
【００５３】
図１３の場合、ＲＨＤＤ１３０４「今日のニュース」の９月２８日放送分が記録済みであり、ＨＤＤ１３０３には９月３０日放送分が記録済みであるので、ＲＨＤＤ１３０４から９月２８日放送分のコンテンツを消去し、ＨＤＤ１３０３から最新の９月３０日放送分を読み出し、ＲＨＤＤ１３０４へ記録保存を行う。これにより、例えばＲＨＤＤ１３０４の容量が２コンテンツ分を記録するほど大きくない場合などにおいても、ＲＨＤＤ１３０４をＳＴＢ１３０２に接続するだけで、容易にコンテンツの内容を最新に変更することができる。
【００５４】
図１５は、ＨＤＤ１５０３とＲＨＤＤ１５０４とに記録されているコンテンツの内容例を示す図であり、図１６は、コンテンツに対してシリーズ録画（図２０）が設定されている場合の処理の流れを示すフローチャート図である。ＳＴＢ１５０２は、図７のＳＴＢ７０２と同様で、ＢＳ／ＣＳアンテナ１５０１から放送を受信することができ、ＨＤＤ１５０３及びＲＨＤＤ１５０４の両記録媒体に対して記録・再生を行うことができるデジタルＢＳ／ＣＳ放送の受信機である。
【００５５】
例えば、ＲＨＤＤ１５０４に「ドラマ」というシリーズコンテンツに対してシリーズ記録指定の設定がなされており、ＲＨＤＤ１５０４に同コンテンツの第２話、第３話が記録済みであり、ＨＤＤ１５０３には、同コンテンツの第１話、第３話、第４話、第５話が記録済みあるときに、ＲＨＤＤ１５０４をＳＴＢ１５０２に接続した場合、ＳＴＢ１５０１はＲＨＤＤ１５０４からシリーズ記録が指定されているコンテンツが存在するかを確認する（ステップ１６０１）。図１５の場合、「ドラマ」コンテンツがシリーズ記録指定されているので、ＳＴＢ１５０２はＨＤＤ１５０３から同コンテンツが記録済みであるかの検索を行う（ステップ１６０２）、ＨＤＤ１５０３内に同コンテンツが記録済みである場合は、ＲＨＤＤ１５０４に記録されていない話数で、新しい話数のコンテンツが記録済みであるかを検索する（ステップ１６０３）。
【００５６】
ＨＤＤ１５０３に記録済みのコンテンツに新しい話数のコンテンツがある場合は（ステップ１６０４）、ＲＨＤＤ１５０４に記録済みのコンテンツを消去した後、ＨＤＤ１５０３から新しい話数のコンテンツ全てを読み出し、ＲＨＤＤ１５０４に記録保存する（ステップ１６０５）。図１５の場合、ＲＨＤＤ１５０４「ドラマ」の第２話、第３話が記録済みであり、ＨＤＤ１５０３には第１話、第３話、第４話、第５話が記録済みであるので、ＲＨＤＤ１５０４から第２話、第３話のコンテンツを消去し、第２話、第３話よりも新しい第４話、第５話をＨＤＤ１５０３から読み出し、ＲＨＤＤ１５０４へ記録保存を行う。これにより、ＲＨＤＤの容量が大きくない場合でも、ＲＨＤＤ１５０４をＳＴＢ１５０２に接続するだけで、容易にＲＨＤＤ１５０４に未試聴のシリーズコンテンツを記録することができる。
【００５７】
図１７は、ＨＤＤ１７０３とＲＨＤＤ１７０４とに記録されているコンテンツの内容例を示す図であり、図１８は補完記録が設定されている場合の処理の流れを示すフローチャート図である。
【００５８】
ＳＴＢ１７０２は、図７のＳＴＢ７０２と同様で、ＢＳ／ＣＳアンテナ１７０１から放送を受信することができ、ＨＤＤ１７０３及びＲＨＤＤ１７０４の両記録媒体に対して記録・再生を行うことができるデジタルＢＳ／ＣＳ放送の受信機である。
【００５９】
例えば、ＲＨＤＤ１７０４に「ドラマ」というシリーズコンテンツに対して補完記録指定の設定がなされており、ＲＨＤＤ１７０４に同コンテンツの第２話、第３話が記録済みであり、ＨＤＤ１７０３には、同コンテンツの第１話、第３話、第４話、第５話が記録済みあるときに、ＲＨＤＤ１７０４をＳＴＢ１７０２に接続した場合に、ＳＴＢ１７０１はＲＨＤＤ１７０４から補完記録が指定されているコンテンツが存在するかを確認する（ステップ１８０１）。
【００６０】
図１７の場合、「ドラマ」コンテンツが補完記録指定されているので、ＳＴＢ１７０２はＨＤＤ１７０３から同コンテンツが記録済みであるかの検索を行う（ステップ１８０２）、ＨＤＤ１７０３内に同コンテンツが記録済みである場合は、ＲＨＤＤ１７０４に記録されていない話数のコンテンツが記録されているかを検索する（ステップ１８０３）。ＨＤＤ１７０３に記録済みのコンテンツにＲＨＤＤ１７０４に記録されていない話数のコンテンツがある場合は（ステップ１８０４）、ＨＤＤ１７０３からその話数のコンテンツ全てを読み出し、ＲＨＤＤ１７０４に記録保存する（ステップ１８０５）。
【００６１】
図１７の場合、ＲＨＤＤ１７０４「ドラマ」の第２話、第３話が記録済みであり、ＨＤＤ１７０３には第１話、第３話、第４話、第５話が記録済みであるので、第２話、第３話以外の第１話、第４話、第５話をＨＤＤ１７０３から読み出し、ＲＨＤＤ１７０４へ記録保存を行う。これにより、ユーザがシリーズコンテンツを通して視聴したい場合、容易にＲＨＤＤ１７０４にシリーズコンテンツを補完し、記録することができる。
【００６２】
以上、本実施の形態による情報処理技術によれば、コンテンツに付加された属性等の応じて、それと関連するコンテンツを収集することができる。
【００６３】
尚、本実施の形態による情報機器においても、コンテンツ配信者などがコンテンツに対して変更内容に関する設定を行い、その設定された内容に沿った変更のみが行われる例を説明したが、ユーザにより設定が行われてもよいし、或いは、種々の変更の全てを選択し、第１の記録媒体と第２の記録媒体とのファイルの属性情報の比較結果に基づいて、第２の記録媒体中のファイルの内容を自動的に変更するように構成しても良い。
【００６４】
以上、実施の形態に沿って本発明を説明したが、本発明はこれらに制限されるものではない。その他、種々の変更、改良、組み合わせが可能なことは当業者に自明であろう。
【００６５】
【発明の効果】
以上、本発明による情報機器においては、情報機器内の第１の記録媒体内の情報を、情報機器に接続可能な第２の記録媒体にバックアップする作業が簡単にできる。また、第２の記録媒体内に記録されたコンテンツに設定される変更内容に基づいて第１の記録媒体中から設定内容に応じて選択したコンテンツを収集して、第２の記録媒体内に記録させることができる。
【図面の簡単な説明】
【図１】本発明の第１の実施の形態による情報機器の概略構成を示す図であり、シンクロ記録の設定がなされている場合の構成を示す図である。
【図２】図１に示す情報機器における処理の流れを示すフローチャート図である。
【図３】本発明の第１の実施の形態による情報機器の概略構成を示す図であり、シンクロ削除の設定がなされている場合の構成を示す図である。
【図４】図３に示す情報機器における処理の流れを示すフローチャート図である。
【図５】本発明の第１の実施の形態による情報機器の概略構成を示す図であり、シンクロ追加記録の設定がなされている場合の構成を示す図である。
【図６】図５に示す情報機器における処理の流れを示すフローチャート図である。
【図７】本発明の第２の実施の形態による情報機器（ＳＴＢ）の概略構成を示す図であり、シンクロ録画の設定がなされている場合の構成を示す図である。
【図８】図７に示す情報機器における処理の流れを示すフローチャート図である。
【図９】本発明の第２の実施の形態による情報機器（ＳＴＢ）の概略構成を示す図であり、シンクロ消去の設定がなされている場合の構成を示す図である。
【図１０】図９に示す情報機器における処理の流れを示すフローチャート図である。
【図１１】本発明の第３の実施の形態による情報機器（ＳＴＢ）の概略構成を示す図であり、コンテンツに対してシンクロ追加録画の設定がなされている場合の構成を示す図である。
【図１２】図１１に示す情報機器における処理の流れを示すフローチャート図である。
【図１３】本発明の第３の実施の形態による情報機器（ＳＴＢ）の概略構成を示す図であり、コンテンツに対してシンクロ更新録画の設定がなされている場合の構成を示す図である。
【図１４】図１３に示す情報機器における処理の流れを示すフローチャート図である。
【図１５】本発明の第３の実施の形態による情報機器（ＳＴＢ）の概略構成を示す図であり、コンテンツに対してシリーズ録画の設定がなされている場合の構成を示す図である。
【図１６】図１５に示す情報機器における処理の流れを示すフローチャート図である。
【図１７】本発明の第３の実施の形態による情報機器（ＳＴＢ）の概略構成を示す図であり、コンテンツに対して補完録画の設定がなされている場合の構成を示す図である。
【図１８】図１７に示す情報機器における処理の流れを示すフローチャート図である。
【図１９】本発明の第１の実施の形態による情報機器の構成例を示す機能ブロック図である。
【図２０】本発明の第２の実施の形態による情報機器の構成例を示す機能ブロック図である。
【符号の説明】
１０２…情報機器、１０３…ＨＤＤ（第１記録媒体）、１０４…ＲＨＤＤ（第２記録媒体）、１１１…制御部。
【図１】
2004062388.tif 000003
【図２】
2004062388.tif 000004
【図３】
2004062388.tif 000005
【図４】
2004062388.tif 000006
【図５】
2004062388.tif 000007
【図６】
2004062388.tif 000008
【図７】
2004062388.tif 000009
【図８】
2004062388.tif 000010
【図９】
2004062388.tif 000011
【図１０】
2004062388.tif 000012
【図１１】
2004062388.tif 000013
【図１２】
2004062388.tif 000014
【図１３】
2004062388.tif 000015
【図１４】
2004062388.tif 000016
【図１５】
2004062388.tif 000017
【図１６】
2004062388.tif 000018
【図１７】
2004062388.tif 000019
【図１８】
2004062388.tif 000020
【図１９】
2004062388.tif 000021
【図２０】
2004062388.tif 000022